(57)【特許請求の範囲】
【請求項１】
キャビネット上方のワークトップに、水栓および排水口を有するシンクを配設したシステムキッチンにおいて、
前記ワークトップの周縁に沿って前記シンクの縁よりも高い棚部を形成し、
前記棚部の下面、もしくは該下面と前記キャビネットとで成す角部近傍に少なくとも一個の電気プラグ差し込み用のコンセントを配置したことを特徴とするシステムキッチン。
【請求項２】
前記棚部は、前記ワークトップの長辺に沿って形成され、前記コンセントを、前記角部近傍の前記棚部の下面または前記キャビネットの側面に装備したことを特徴とする請求項１記載のシステムキッチン。
【請求項３】
前記シンクを、前記ワークトップの長手方向の一端に設ける一方、前記棚部を該シンクに隣接して前記長手方向端部から前記ワークトップの外側へ突出させ、さらに、前記コンセントを前記棚部下面または前記キャビネットの側面に装備したことを特徴とする請求項１記載のシステムキッチン。
【請求項４】
前記棚部に、水平方向に引き出し可能なカトラリートレイを備えたことを特徴とする請求項３記載のシステムキッチン。
【発明の詳細な説明】
【技術分野】
【０００１】
本発明は、システムキッチンに関するものである。
【背景技術】
【０００２】
従来から、シンクやコンロ、収納などの要素を組み合わせ、ワークトップ（天板）の下にまとめてシステム構成したシステムキッチンが提供され、広く普及している。
【０００３】
また近年、特別な敷居を設けることなく、リビングダイニングとして一つの部屋を構成している全開放型のいわゆる対面式オープンキッチンが生産されている。オープンキッチンは屋内を全体的に広く感じることができ、またキッチンで調理する者と、リビングダイニングに居る者との間でコミュニケーションが交わしやすいという利点を有する。
【０００４】
従来、システムキッチンに電気プラグ差し込み用のコンセントを設けた技術として、例えば、特許文献１および特許文献２に記載の技術が知られている。これら特許文献１、２に記載のものは、いずれもコンセントは外部に露呈する形態で組み込まれている。係る構成により、コンセントに各種電気器具のプラグを差し込むことにより、電源電流を電気器具に供給するようになっている。
【特許文献１】特開２００３−５２４６７号公報
【特許文献２】特開平６−１２１７１９号公報
【発明の開示】
【発明が解決しようとする課題】
【０００５】
しかしながら、上記の特許文献１および特許文献２に記載の技術におけるコンセントは、システムキッチンの外表面に露呈するような場所に装備されているため、外観体裁が極めて悪く、システムキッチンのデザインを損ねる問題がある。またシステムキッチンの周辺は水に濡れるおそれが高いため、電機器具の設置には大きな制約がある。
【０００６】
本発明は、上記技術的課題に着目してなされたものであり、コンセントをシステムキッチンの外面から見えにくく、また極めて濡れにくい場所に装備することで、外観体裁の向上と安全性の確保を図ることのできるシステムキッチンを提供することを目的とする。
【課題を解決するための手段】
【０００７】
（１）上記の目的を達成するために、本発明は、キャビネット上方のワークトップに、水栓および排水口を有するシンクを配設したステムキッチンにおいて、ワークトップの周縁に沿ってシンクの縁よりも高い棚部を形成し、棚部の下面、もしくは下面とキャビネットとで成す角部近傍に少なくとも一個の電気プラグ差し込み用のコンセントを配置したことを特徴とする。
【０００８】
係る構成によれば、角部近傍にコンセントを装備するので、コンセントは外部から見えにくい。これによりシステムキッチンの外観体裁を向上できるようになる。
【０００９】
またシンクにおいて水が飛散しても飛沫をかぶるおそれがなく、高い安全性を確保することができる。特にワークトップの端部に設置した棚部に電気器具を常設する場合に、上記のコンセントを利用することにより、部屋の壁から電気コードを引き回すことなく好適に使用することができる。すなわちシステムキッチンと壁との間にコードがなく、外観上の収まりがよいばかりか、通行する使用者がコードにひっかかることがないため、安全性も向上する。この場合においても、コンセントは棚部下面もしくは下面とキャビネットとで成す角部近傍に設けられていることから、コンセントは外部から見にくく、また水ぬれを防止することができる。
【００１０】
(２)また、棚部は、ワークトップの長辺に沿って形成され、コンセントを、角部近傍の棚部の下面またはキャビネットの側面に装備するのが好ましい。
【００１１】
これによれば、コンセントは角部近傍の棚部またはキャビネットの側面に装備されるため、システムキッチン周囲に居る人からコンセントを容易には見ることができないように装備されており、システムキッチンの外観体裁を向上できるようになる。またオープンキッチンにおいて居間側から利用することができ、システムキッチンをキッチン側と居間側の両方から有効に利用できる。
【００１２】
(３)また、シンクを、長手方向の一端に設ける一方、棚部を該シンクに隣接して長手方向端部からワークトップの外側へ突出させ、さらに、コンセントを棚部下面またはキャビネットの側面に装備するようにしてもよい。
【００１３】
このような構成とすることで、システムキッチンの長手方向であって、かつ、ワークトップの外側へ突出して形成した棚部を備えた形態のシステムキッチンの場合でも、コンセントをこの棚部下面とキャビネットの側面との間で形成される角部近傍における棚部下面またはキャビネットの側面に取付けることで、コンセントは外部から見えにくくなり、これによりシステムキッチンの見栄えを損ねることを回避できるようになる。
【００１４】
(４)また、棚部は、水平方向に引き出し可能なカトラリートレイを備えていてもよい。これにより、調理具や食器類の収納スペースを増大することができ、システムキッチンの利用価値を高めることができるようになる。
【００１５】
(５)また、上記のコンセントを設ける位置には、コンセントに限らず、電気スイッチや電話線のモジュラジャックなどの電気接続具を設けることでもよい。これによりコンセント同様に、外観を損ねること、および水濡れを防止しつつ、棚部において電気器具を常設する際の利便性を向上させることができる。
【発明の効果】
【００１６】
本発明によれば、システムキッチンにおいてコンセントを外部から目立ちにくく水濡れしない位置に装備することで、デザイン性を何ら損ねることがなく、システムキッチンに装備される間接照明装置や種々の調理用電気器具や部屋の電気掃除機等への電源供給を容易に行えるので、家族との接点の場所、食と住の集まる家族のコミュニケーションの場に相応しいシステムキッチンを提供できる効果を奏する。
【発明を実施するための最良の形態】
【００１７】
以下、本発明を実施するための最良の形態を、図を参照して詳述する。なお、以下の各実施形態に示される寸法、材料、その他具体的な数値などは本発明の理解を容易とするための例示に過ぎず、本発明を限定するものではない。
【００１８】
[第一の実施形態]
図１は第一の実施形態に係るシステムキッチン１００の概要構成を示す外観斜視図、図２（ａ）はシステムキッチン１００におけるワークトップ（天板）１５０の平面図、同（ｂ）は（ａ）のＡ−Ａ線における矢視断面図、同（ｃ）は（ａ）のＢ−Ｂ線における矢視断面図である。システムキッチン１００は、特別な敷居を設けることなく、リビングとダイニングとが一つの部屋で共存する対面式のオープンキッチンである。システムキッチン１００の背後の壁には壁側戸棚１２０が設置されている。対面式カウンタータイプのキッチン１００により、壁側戸棚１２０とシステムキッチン１００との間で調理する人と、ダイニングまたはダイニング兼用のリビング側にいる家族や友人との間でコミュニケーションが取りやすく、また、システムキッチン１００周辺でくつろぎの場や時間を過ごすことができる態様となるように構成されている。
【００１９】
なお、上記壁側戸棚１２０には、戸棚１７０と、これより大容量の収納空間を有する壁側収納部１７２とが配備されている。壁側収納部１７２は、戸棚１７０の底面に設置した図示されない照明装置によりその上面が照明される。また、戸棚１７０の上部には照明装置が設けられ、壁面の上方を照らすことで間接照明を行い、壁側戸棚１２０およびシステムキッチン１００を配備した周辺空間に落ち着いた上品な高級感と美観を醸し出すようにしている。
【００２０】
上記のシステムキッチン１００は図１に示されるように、鍋、釜等の調理具、食器類、洗剤等を適宜に収納する収納部等を備えたキャビネット１１０を有し、全体として直方体形状の対面式カウンターの形態に形成される。その長手方向のほぼ中央にシンク１４０が配備され、該シンク１４０に常温水や温水を適宜に供給する水栓１４２が設けられる。図１においてシンク１４０の右方側には、加熱調理器１４４が設けられる一方で、シンク１４０や加熱調理器１４４が配備されないそれ以外の部分には、調理作業台としてのカウンター面を形成したワークトップ（天板）１５０が設けられる。加熱調理器１４４はワークトップ１５０の面とほぼ同一面に耐熱ガラス板やセラミック板等を設けたＩＨヒータで形成されるが、勿論、自体公知のガス加熱調理器を利用する形態のものであってもよい。
【００２１】
リビングルーム（あるいはダイニングルーム）側に面したキャビネット１１０の外壁面（側面）には、軽食やおやつ等を食するためのカフェテーブル１６０と、本や雑誌等を収納するマガジン収納部１６４が装備される。カフェテーブル１６０は図３に示すようにブラケット１６１を介してキャビネット１１０の側面に取付けられる。カフェテーブル１６０の手前に二脚の椅子１６２を配することで、カフェテーブル１６０を飲食や家計簿への記帳仕事にも利用できる。
【００２２】
上記の加熱調理器１４４近傍には、透明あるいは半透明の合成樹脂、ガラス等で形成した導風板１４８が立設される。この導風板１４８により、加熱調理器１４４上方の天井から懸垂されレンジフード１４６へ、加熱調理器１４４による調理で発生する湯気、油煙等を偏向して導き、図示されない排気手段を介して屋外へ排出するようにしている。
【００２３】
ワークトップ１５０のリビングルーム側の周縁には、その長辺に沿い、かつ、シンク１４０の縁１４０ａよりも高い棚部１５２が一体に形成される。より具体的に説明すると、ワークトップ１５０と棚部１５２とは、上方に向かうに応じて棚部１５２側へ後傾して傾斜する棚部側面１５４により連続している。
【００２４】
カフェテーブル１６０に沿って形成される棚部１５２の下面に、図示されない照明装置を取付けられる。該照明装置を点灯させることで、カフェテーブル１６０上の手元が間接照明され、システムキッチン２００のデザイン性を高めることができるようになっている。
【００２５】
シンク１４０は、合成樹脂やステンレス鋼板等の素材を用いてワークトップ１５０と一体成形されるのが好ましいが、別個に成形したもの同士を後から結合してアセンブリする構成としてもよいことは言うまでもない。このシンク１４０には、図２に示されるように、上記の水栓１４２の他に、排水口１４１が設けられ、水栓１４２は棚部１５２に隣接する棚部側面１５４の近傍に設けられる。
【００２６】
シンク１４０の棚部１５２と隣接する側面には、上方に向かうに応じて棚部１５２側へ後傾する傾斜面１４０ｂが形成される。傾斜面１４０ｂはシンク１４０側面のほぼ中央部、すなわち水栓１４２の取付け部の周囲にのみ設けられており、傾斜面１４０ｂの両側に垂直面１４０ｃが形成される。傾斜面１４０ｂと垂直面１４０ｃとの境界に形成される段部１４０ｄは上方にいくほど傾斜が大きくなり、ワークトップ１５０の上面となだらかに連続するようになっている。
【００２７】
そして、水栓１４２の取付け部周囲の傾斜面１４０ｂは、棚部側面１５４と連続するように形成される。換言すると、水栓１４２の後方において、棚部側面１５４からシンク１４０の底部までなだらかに連続する傾斜面が形成される。
【００２８】
本第一の実施形態において、ワークトップ１５０の幅Ｗ１は８００ｍｍであり、棚部１５２の幅は１９５ｍｍの寸法に設定している。棚部１５２の高さは４０ｍｍである。上記説明した如く、ワークトップ１５０上にシンク１４０の縁よりも高い、すなわち、調理作業スペースよりも高い棚部１５２を設けることで、洗い水が飛散したとしても、棚部１５２へは到達しにくくなるようにしている。これにより、棚部１５２はドライエリア（濡れないことが前提の乾いた領域）となる。また、水栓１４２をシンク１４０の棚部近傍に設置しているので、棚部１５２は洗い水の飛散する方向に対して後方側（リビングルーム側）に存することから、棚部１５２の上まで洗い水が跳ねることを防止できるようになっている。
【００２９】
また、棚部１５２はキッチンの後方、すなわちリビングルーム側に設けられているため、キッチン側およびリビングルーム側の両側から多目的に利用可能な領域として活用できる。したがって、リビングルーム側からも置物、本、時計、ラジオ等を置いたりすることで、オープンキッチン（システムキッチン）をリビングルームに設けた設備の一つとして有効に利用できるようにしている。
【００３０】
さらに、上記棚部１５２はワークトップ１５０の後方側（リビングルーム側）に配備しているためワークトップ１５０上の目隠しとすることができる。これにより、雑多な食材や調理道具、雑然とした作業状態などをリビングルーム側から見えにくくすることで、リビングルーム側からの美観を向上させるようにしている。
【００３１】
次に、本発明の技術的特徴であるコンセントを配置する構成を、主として図３を参照しながら説明する。すなわち、ワークトップ１５０の左端（図１からみて）におけるワークトップ１５０の周縁である棚部１５２の下面とキャビネット１１０とで角部Ｒ１が形成される。棚部１５２の下面には、芯材１５２ａが、また、キャビネット１１０外面には、キャビネットの側面としてのバックパネル１１０ａがそれぞれ適宜の接着剤等の接合手段により被着される。芯材１５２ａとバックパネル１１０ａとが、板金加工でほぼ直角に折曲げて形成した結合部材５００を介してビス５０２により締結される。
【００３２】
一方、棚部１５２に折曲げ形成したフランジ１５２ｂからできるだけ奥まった角部Ｒ１に存する結合部材５００の個所に、コンセント５０４がビス等の適宜の締結具を介して結合される。このコンセント５０４の左側部（背部）から引き出された電線５０６を結合部材５００やバックパネル１１０ａに設けた穴を通してキャビネット内部へ配線する。このように、コンセント５０４は結合部材５００を介して棚部１５２下面の角部Ｒ１に位置決め固定される。コンセント５０４は棚部１５２下面の角部Ｒ１の奥まった位置、換言すると、外部から視認しにくい位置に、外部から目隠しされたような状態で設けられることとなる。
【００３３】
本第一の実施形態によれば、システムキッチン１００の外観体裁を損ねることなく、コンセント５０４を角部Ｒ１の奥まった棚部１５２下面に装備したので、外部からコンセント５０４が見えにくくなり、それだけシステムキッチン１００の外観体裁を向上できる利点がある。また、このコンセント５０４を利用することで、電気掃除機や各種のキッチン用電気器具を容易に利用できて便利である。
【００３４】
また上記の棚部１５２は濡れにくい領域（ドライエリア）であるが、さらに棚部１５２の下面に装備したことにより、シンクにおいていかに水が飛散してもコンセント５０４が飛沫をかぶるおそれがなく、極めて高い安全性を確保することができる。
【００３５】
上記ではカフェテーブル１６０は、キャビネット１１０側に固定した場合について説明したが、キャビネットに対して図示されないヒンジを介して矢印Ｑ方向へ回動するように取付ける構造であってもよい。これにより、カフェテーブル１６０を使用しない場合には、カフェテーブル１６０がキャビネット側に接するように垂下し、使用する場合にはカフェテーブル１６０を矢印Ｑ方向へ回動してほぼ水平な状態となる位置で位置決め固定する形態でもよい。
【００３６】
上記第一の実施形態では、コンセント５０４を棚部１５２の下面に装備する場合を説明したが、棚部１５２の下面側でなく、角部Ｒ１近傍におけるキャビネット１１０に装備する構成としてもよいのは勿論である。
【００３７】
また、カフェテーブル１６０を設けない態様のシステムキッチン１００にも適用してもよい。
【００３８】
また、コンセント５０４を装備する位置は、棚部１５２の左端の角部Ｒ１であったが、コンセント５０４が外部から目立たない角部Ｒ１であれば、棚部１５２長手方向に沿う適宜の位置に、かつ、複数個のコンセント５０４を設置することも可能である。
【００３９】
また、上記ではコンセント５０４を装備した例を挙げて説明したが、この代わりに、シーソ式あるいはプッシュ式の電気スイッチや電話線のモジュラジャック、テレビアンテナのプラグなどの電気接続具を装備してもよい。この電気スイッチをＯＮ、ＯＦＦ操作することで、棚部１５２下面に沿って設けた照明装置を点消灯させてカフェテーブル１６０上の手元を間接照明することができるようになる。なお、この場合、電気スイッチと上記のコンセント５０４とを同時にユニット化した構造の電気接続具を装備する態様にすることも可能である。これらいずれの場合にも、外部から電気接続具が露見されないように装備されるので、システムキッチン１００の外観体裁を損ねることを回避できる。
【００４０】
また、コンセント５０４は複数のプラグ５０８を差し込むことができる態様のものでもよいのは言うまでもない。
【００４１】
[第二の実施形態]
本第二の実施形態におけるシステムキッチン２００は、その長手方向の一端にシンク１４０を設けた点、およびシンク１４０に隣接し、長手方向にワークトップ２５０の外側へ突出する棚部（以下では、「サポートデッキ」という）２５２を設けた点、およびコンセント５０４をキャビネット２１０の側壁面２１１に装備した点において大きく相違し、その他の構成は上記の第一の実施形態と実質的に同一である。第一の実施形態の構成要素と実質的に同一または均等である部材または部分には、これらに用いたと同じ符号を付して、その詳細な説明は割愛することとする。
【００４２】
本システムキッチン２００におけるシンク１４０には、図５に示すように、サポートデッキ２５２近傍に水栓１４２が設置され、キッチン側およびリビングダイニング側の両方に対して横向きに設置されている。これにより、ワークトップ２５０およびシンク１４０は、システムキッチン２００を隔てた両側から利用できるようになる。
【００４３】
このシステムキッチン２００は、部屋のどこにも設置可能であり、例えば部屋の中央に設置してもよい。
【００４４】
上記のサポートデッキ２５２は、シンク１４０に隣接するが、ワークトップ２５０の外側へ突出するとともに、サポートデッキ２５２の上面をシンク１４０の縁よりも高く形成される。これにより、水跳ねを確実に防止し、より完全なドライエリアとして形成することが可能となる。このサポートデッキ２５２により、本来であればウェットエリアであるはずのシンク１４０付近に、水仕事以外の作業に用いられるドライエリアが形成される。
【００４５】
また、サポートデッキ２５２を高く形成するには、サポートデッキ２５２を高所に移動させるのではなく、サポートデッキ２５２の厚みＷを厚くすることで実現できる。なお、サポートデッキ２５２の厚みＷは、カトラリートレイ３００を十分に収納する厚みを確保する観点から、８０ｍｍ以上であることが好ましい。
【００４６】
サポートデッキ２５２には、その厚みを利用して収納箱としてのカトラリートレイ３００が設けられる。このカトラリートレイ３００は、水平方向へ引出自在にスライドして引き出すことができる。また、カトラリートレイ３００の前面に化粧板３１０が被覆され、サポートデッキ２５２と一体的な外観体裁を呈するように形成されている。
【００４７】
サポートデッキ２５２とカトラリートレイ３００の構成を図６に基づいてさらに説明する。サポートデッキ２５２は例えば３本のＬ字状の支持金具（ブラケット）３７０Ａ〜３７０Ｃによりキャビネット２１０の側壁面２１１（側面）に固定される。サポートデッキ２５２にはレール３８０Ａ、３８０Ｂが取付けられ、これらレールにスライド自在にカトラリートレイ３００が設けられる。
【００４８】
図６（ｂ）に示すように、ワークトップ２５０の上面とサポートデッキ２５２の上面とは、サポートデッキ２５２の側面２５４により連続している。サポートデッキ２５２の側面２５４は上方に向かうに従ってサポートデッキ２５２側に後退するように傾斜している。
【００４９】
また、シンク１４０の水栓１４２（図６ではその図示を省略している）の取付部周囲の傾斜面１４０ｂは、サポートデッキ側面２５４と連続するように形成される。
【００５０】
こうして形成されるサポートデッキ２５２は、調理や配膳時の一時置場として利用でき、また、本棚や電話、ＦＡＸ、コンピュータ等を設置するスペースとしても活用できるようになっている。
【００５１】
カトラリートレイ３００は、図９、図１０に示されるように、例えば５つの収納部３００Ａから３９０Ｅに区画されている。両側の４つの収納部３９０Ａ〜３９０Ｄは、ほぼ等しい寸法を有する大型の収納部であり、中央の収納部３９０Ｅは、小物を収容できるようになっている。
【００５２】
こうして、サポートデッキ２５２側に設けたレール３８０Ａおよび３８０Ｂを介してカトラリートレイ３００の左右両側面がスライド可能にサポートデッキ２５２に支持され、図１０に示すようにカトラリートレイ３００を矢印４５０方向へ引き出し自在に組み込むことができる。なお、カトラリートレイ３００を矢印４６０または４７０方向へ引き出される形態とすることも可能である。
【００５３】
また、図４に示されるように、サポートデッキ２５２の下方には、実質的に床５２０からワークトップ２５０の下面までの高さを有するスペースが形成されるが、このスペースに他の食卓を接近させて配置することが可能であり、また、別の収納棚やタオル掛けなど、食卓以外の物を配置したりするスペースとして有効利用できるようになっている。
【００５４】
コンセント５０４は、図７、図８に示されるように、サポートデッキ２５２下方におけるキャビネット２１０の側壁面２１１（側面）に装備される。具体的には、サポートデッキ２５２下面と側壁面２１１とで成す角部Ｒ２近傍であって、Ｌ字支持金具３７０Ａと３７０Ｂとの間、またはＬ字支持金具３７０Ｂと３７０Ｃとの間の、カトラリートレイ３００の引き出し動作に干渉することのない側壁面２１１にコンセント５０４が設けられる。コンセント５０４は、その外表面が側壁面２１１とほぼ同一面を成すようにして取付ける。換言すると、コンセント５０４を側壁面２１１の内側へ埋設するような形態で装備する。なお、コンセント５０４の側壁面２１１への取付けは、適宜のビス等の締結具を用いて取付けられる。こうして、プラグ５０８がコンセント５０４へ差し込まれることで、電気器具への電力供給が可能となる。
【００５５】
本第二の実施形態によれば、コンセント５０４はサポートデッキ２５２の付け根に相当する角部Ｒ２近傍の側壁面２１１に外方へ出っ張ることなく取付けられるので、外部からコンセント５０４の存在が気付かれることがない。換言すると、コンセント５０４があからさまに外部に露見しない形態でシステムキッチン２００に装備されるため、システムキッチン２００の外観デザインを何ら損ねることはない。
【００５６】
また特に、本第二の実施形態にかかるサポートデッキ２５２は面積が大きいため、コーヒーメーカーや電話、ＦＡＸ、コンピュータ等の電気機器を常設することが考えられる。この場合において、部屋の壁から電気コードを引き回すことなく配電できるため、システムキッチンと壁との間にコードがない。したがって外観上の収まりがよいばかりか、通行する使用者がコードにひっかかることがないため、安全性も向上する。
【００５７】
なお、第二の実施形態では、コンセント５０４をＬ字支持金具３７０Ｃの内側近傍に設けたが、図７に示すように外側近傍にコンセント５０４ａを設けても良い。この場合でも、コンセント５０４ａは角部Ｒ２近傍に装備されるので、人目に触れにくく、システムキッチン２００の体裁を損ねることはない。
【００５８】
また、コンセント５０４は側壁面２１１側に設けたが、サポートデッキ２５２にカトラリートレイ３００を装備しない態様の場合には、コンセント５０４をサポートデッキ２５２下面に装備してもよい。このとき、コンセント５０４の装備位置は、角部Ｒ２近傍のみならず、サポートデッキ２５２の下面であって先端寄り（サポートデッキ２５２の中央よりも端部側）であってもよい。
【００５９】
また、コンセント５０４は、Ｌ字支持金具３７０Ａ、３７０Ｂ、３７０Ｃに干渉しない場所であれば、その装備個数は一個に限定されず、任意の個数を装備できるのは言うまでもない。
【００６０】
また、上記第一の実施形態の場合と同様に、コンセント５０４の代わりにプッシュ式あるいはシーソ式のＯＮ、ＯＦＦスイッチや電話線のモジュラジャックなどの電気接続具でもよく、あるいはこれらを併用する形態の電気接続具であってもよい。
【００６１】
以上、本発明を第一の実施形態および第二の実施形態により詳述してきたが、具体的な構成はこの一実施例に限られるものでなく、本考案の要旨を逸脱しない範囲の設計変更等があっても本考案の範囲に含まれるものである。
【産業上の利用可能性】
【００６２】
本発明はシステムキッチンに適用可能である。
【図面の簡単な説明】
【００６３】
【図１】本発明の第一の実施形態に係るシステムキッチンの概要構成を示す外観斜視図である。
【図２】図１のシステムキッチンを部分的に断面図で示す三面図であり、（ａ）はシステムキッチンにおけるワークトップ（天板）の平面図、同（ｂ）は（ａ）のＡ−Ａ線における矢視断面図、同（ｃ）は（ａ）のＢ−Ｂ線における矢視断面図である
【図３】図２（ａ）のＣ−Ｃ線における矢視拡大断面図である。
【図４】本発明の第二の実施形態に係るシステムキッチンを示す外観斜視図である。
【図５】上記のシステムキッチンの概要構成を示す外観斜視図である。
【図６】図５のシステムキッチンを部分的に断面図で示す三面図であり、（ａ）は平面図、（ｂ）は（ａ）のＢ−Ｂ線における矢視断面図、（ｃ）は（ａ）のＣ−Ｃ線における矢視断面図である。
【図７】図６（ｂ）の矢印Ｄ方向からカフェテーブル下面を仰いで視た部分外観斜視図である。
【図８】図６（ｂ）の角部Ｒ２近傍を拡大して示した要部拡大断面図である。
【図９】カトラリートレイがサポートデッキから引き出される様子を示す外観斜視図である。
【図１０】図９のカトラリートレイを他の方向から視た外観斜視図である。
【符号の説明】
【００６４】
１００  システムキッチン
１１０  キャビン
１１０ａ  バックパネル（側面）
１４０  シンク
１４１  排水口
１４２  水栓
１４４  加熱調理器
１５０  ワークトップ
１５２  棚部
１５２ａ  芯材
１５２ｂ  フランジ
１６０  カフェテーブル
２００  システムキッチン
２１０  キャビネット
２１１  側壁面（側面）
２５０  ワークトップ
２５２  サポートデッキ（棚部）
３００  カトラリートレイ
３７０Ａ、３７０Ｂ、３７０Ｃ  Ｌ字支持金具
５００  結合部材
５０２  ビス
５０４  コンセント
５０６  電線
５０８  プラグ
Ｒ１、Ｒ２  角部
【図１】
0004974784.tif 000002
【図２】
0004974784.tif 000003
【図３】
0004974784.tif 000004
【図４】
0004974784.tif 000005
【図５】
0004974784.tif 000006
【図６】
0004974784.tif 000007
【図７】
0004974784.tif 000008
【図８】
0004974784.tif 000009
【図９】
0004974784.tif 000010
【図１０】
0004974784.tif 000011